(57)【要約】【課題】いわゆるストラップレスの授乳用ブラジャーとして使うことができると共に、ストラップ部を用いる場合であっても乳房への影響を少なくし、乳房をワイヤー部と共に確実に支えることができる授乳用ブラジャーを提供すること。【解決手段】授乳用ブラジャー１０の左右のカップ部２０，２１は、両端部が各後ろ身頃部２４，２５に連結されて、上縁部が乳首よりも下側に配置され、乳房の下側に沿ってワイヤー部６０，６１が配置されている前身台布部４０と、自己形態保持性を有し、上縁部が前身台布部４０を覆って曲線形状とされており、内側縁部が着脱可能で外側縁部を中心にして回動可能とされて実質的に乳房を覆うための左右のカップ本体５０，５１とをそれぞれ備え、カップ部２０，２１側のストラップ部２６，２７の連結部分は、乳首の外側の位置を通り、かつワイヤー部６０，６１の外側端部近傍で着脱自在に連結されている。【選択図】        図１
2004169209.tif 000002
【特許請求の範囲】
【請求項１】
乳首を含む乳房を覆うための左右のカップ部と、
前記左右のカップ部の外側縁部側に取り付けられて背中側で長さが調整可能で着脱可能になっている左右の後ろ身頃部と、
前記左右のカップ部と前記背中側の前記左右の後ろ身頃部を連結する着脱可能な左右のストラップ部と、を有する授乳用ブラジャーであり、
前記左右のカップ部は、
両端部が各前記後ろ身頃部に連結されて、上縁部が前記乳首よりも下側に配置され、前記乳房の下側に沿ってワイヤー部が配置されている前身台布部と、
自己形態保持性を有し、上縁部が前記前身台布部を覆って曲線形状とされており、内側縁部が着脱可能で外側縁部を中心にして回動可能とされて実質的に前記乳房を覆うための左右のカップ本体と、をそれぞれ備え、
前記カップ部側の前記ストラップ部の連結部分は、前記乳首の外側の位置を通り、かつ前記ワイヤー部の外側端部近傍で着脱自在に連結されていることを特徴とする授乳用ブラジャー。
【請求項２】
前記ストラップ部の前記連結部分は、前記ワイヤー部の外側端部近傍における前記前身台布部に対して着脱自在に連結されている請求項１に記載の授乳用ブラジャー。
【請求項３】
前記ストラップ部の前記連結部分は、前記ワイヤー部の外側端部近傍における前記カップ本体に対して着脱自在に連結されている請求項１に記載の授乳用ブラジャー。
【請求項４】
前記ストラップ部の前記連結部分は、前記前身台布部と前記カップ本体に対して、選択的に連結可能とされている請求項２または請求項３に記載の授乳用ブラジャー。
【請求項５】
左右の前記カップ本体の内側縁部を、前記前身台布部の中央領域部分において互いに着脱自在に連結するためのカップ本体連結部を有している請求項１乃至請求項４のいずれかに記載の授乳用ブラジャー。
【請求項６】
前記カップ本体連結部は、
左右の前記カップ本体の内側縁部を、互いに着脱自在に連結するための第１連結具と、
左右の前記カップ本体の内側縁部を、互いに着脱自在に連結するために前記第１連結具よりも下側の位置にある第２連結具と、を有している請求項５に記載の授乳用ブラジャー。
【請求項７】
左右の前記カップ本体の内側縁部の内面と、前記前身台布部の中央領域部分が着脱可能に連結される連結部が形成されている請求項１乃至請求項４のいずれかに記載の授乳用ブラジャー。
【発明の詳細な説明】
【０００１】
【発明の属する技術分野】
本発明は、妊娠から出産し、乳幼児の育児を行う期間に使用するブラジャーであって、特に出産後における授乳期に用いるブラジャーに関するものである。
【０００２】
【従来の技術】
授乳期に用いる授乳用ブラジャーを用いる妊産婦は、授乳する場合には乳房を覆っているカップ部から乳房を露出して、乳児に対して授乳を行う必要がある。このような構造の授乳用ブラジャーはマタニティ用ブラジャーとも呼んでいる（たとえば、特許文献１参照。）。
【０００３】
【特許文献１】
特開平８−１２７９０４号公報（第１頁乃至第２頁、図２）
【０００４】
【発明が解決しようとする課題】
この種のマタニティ用ブラジャーは、本体に対して自在に固定された左右のカップ部を左右に開くようになっている。
このマタニティ用ブラジャーは、両肩に掛ける肩紐を有している。この肩紐は本体のバストアップ布片と左右の後ろ身頃部に対して接続されており、この肩紐はバストアップ布片と後ろ身頃部に対して固定されているために取り外すことができず、いわゆるストラップレスのマタニティ用ブラジャーとしては用いることができない。
一方、近年、特に夏期における袖がなく、肩があらわれるノースリーブ衣服が増加しており、妊産婦においても、ノースリーブ衣服の需要があるものの、ストラップレスブラジャーが無いため、衣服の選択肢を狭めてしまっていた。
また、肩紐の前側の端部がバストアップ布片に対して固定されている位置がバストアップ布片のワイヤーよりも内側でバストアップ布片の上方に位置している。このことから肩紐がバストアップ布片を固定して支えている状態では、ワイヤーが乳房を下から支えている状態ではあるが、この肩紐に固定されたバストアップ布片が乳房を圧迫してしまうだけでなく、肩紐自体が乳房に対して押し付けるような力を与えてしまうこともあり、肩紐は位置的に邪魔になることがある。
そこで本発明は上記課題を解消し、いわゆるストラップレスの授乳用ブラジャーとして使うことができると共に、ストラップ部を用いる場合であっても乳房への影響を少なくし、乳房をワイヤー部と共に確実に支えることができる授乳用ブラジャーを提供することを目的としている。
【０００５】
【課題を解決するための手段】
請求項１の発明は、乳首を含む乳房を覆うための左右のカップ部と、前記左右のカップ部の外側縁部側に取り付けられて背中側で長さが調整可能で着脱可能になっている左右の後ろ身頃部と、前記左右のカップ部と前記背中側の前記左右の後ろ身頃部を連結する着脱可能な左右のストラップ部と、を有する授乳用ブラジャーであり、前記左右のカップ部は、両端部が各前記後ろ身頃部に連結されて、上縁部が前記乳首よりも下側に配置され、前記乳房の下側に沿ってワイヤー部が配置されている前身台布部と、自己形態保持性を有し、上縁部が前記前身台布部を覆って曲線形状とされており、内側縁部が着脱可能で外側縁部を中心にして回動可能とされて実質的に前記乳房を覆うための左右のカップ本体と、をそれぞれ備え、前記カップ部側の前記ストラップ部の連結部分は、前記乳首の外側の位置を通り、かつ前記ワイヤー部の外側端部近傍で着脱自在に連結されていることを特徴とする授乳用ブラジャーである。
【０００６】
請求項１では、左右のカップ部は、乳首を含む乳房を覆うためのものである。
左右の後ろ身頃部は、左右のカップ部の外側縁部側に取りつけられて乳房の変化に対応できるよう、背中側で長さが調整可能で着脱自在になっている。左右のストラップ部は、着脱可能とされて、左右のカップ部の上方側と背中側の後ろ身頃部を連結するものである。
左右のカップ部は、前身台布部と、カップ本体を備えている。
前身台布部は、両端部が後ろ身頃部に連結されている。この前身台布部の上縁部が、露出した際に授乳できるよう乳首よりも下側に位置されており、この前身台布部には、乳房の下側に沿ってワイヤー部が配置されることで、乳房を下側から支えられるよう構成されている。
カップ本体は、ストラップ等により保持されなくとも形状を維持可能な自己形態保持性を有している。このカップ本体の上縁部が、前身台布部を覆って曲線形状とされている。カップ本体の内側縁部が内側縁部同士及び／または前身台布部に着脱可能であり、授乳時に乳房を露出できるようカップ本体の外側縁部を中心としてカップ本体は回動可能になっていて、カップ本体は実質的に乳房を覆うためのものである。
【０００７】
カップ部側のストラップ部の連結部分は、乳首の外側の位置を通りかつワイヤー部の外側端部近傍で着脱自在に連結されている。
これにより、ストラップ部の連結部分は着脱自在になっているので、ストラップ部を取り外していわゆるストラップレスの授乳用ブラジャーとして使用することができる。
また、ストラップ部の連結部分は、乳房の外側の位置を通りワイヤー部の外側端部近傍、すなわち腕に近い側の位置で連結されていることから、ストラップ部が従来と異なり外側の位置であるので、乳房に対する影響を少なくし、ストラップ部の存在が邪魔にならず、外観上も優れたものになる。
ストラップ部は、ワイヤー部の外側端部の近傍で連結されているので、ワイヤー部が乳房を下から支えている状態を、ストラップによってもワイヤー部との連携により乳房を支える機能をより強化することができる。
【０００８】
請求項２の発明は、請求項１に記載の授乳用ブラジャーにおいて、前記ストラップ部の前記連結部分は、前記ワイヤー部の外側端部近傍における前記前身台布部に対して着脱自在に連結されている。
【０００９】
請求項２では、ストラップ部の連結部分は、ワイヤー部の外側端部近傍で、前身台布部に対して着脱自在に連結されている。
これにより、ストラップ部の連結部分は、容易に着脱自在に取り外すことができる。また、前身台布部に設けられたワイヤー部と近接して一体的に配置されることとなり、乳房を支える機能を確実に発揮する。
【００１０】
請求項３の発明は、請求項１に記載の授乳用ブラジャーにおいて、前記ストラップ部の前記連結部分は、前記ワイヤー部の外側端部近傍における前記カップ本体に対して着脱自在に連結されている。
【００１１】
請求項３では、ストラップ部の連結部分は、ワイヤー部外側端部近傍に位置するカップ本体に対して着脱自在に連結されている。
これにより、ストラップ部は取り外すことができ、いわゆるストラップレスの授乳用ブラジャーとして用いることができる。また、ワイヤー部外側端部近傍にストラップ部が位置することにより、確実に乳房を支えることができる。
【００１２】
請求項４の発明は、請求項２または請求項３に記載の授乳用ブラジャーにおいて、前記ストラップ部の前記連結部分は、前記前身台布部と前記カップ本体に対して、選択的に連結可能とされている。
【００１３】
請求項４では、使用者が、自ら使いやすい位置での連結を選択できるため、体型や乳房の変化に合わせて、ストラップ部の連結位置を調整できる。
【００１４】
請求項５の発明は、請求項１乃至請求項４のいずれかに記載の授乳用ブラジャーにおいて、左右の前記カップ本体の内側縁部を、前記前身台布部の中央領域部分において互いに着脱自在に連結するためのカップ本体連結部を有している。
【００１５】
請求項５では、カップ本体連結部が、カップ本体の内側縁部を、前身台布部の中央領域において、互いに着脱自在に連結するようになっている。
これにより、カップ本体の内側縁部は着脱可能に連結することができ、授乳時には、一方のカップ本体を回動させて、乳房や乳首を露出できる。また、カップ本体の内側縁部同士を着脱可能としており、容易に着脱できる。
【００１６】
請求項６の発明は、請求項５に記載の授乳用ブラジャーにおいて、前記カップ本体連結部は、左右の前記カップ本体の内側縁部を、互いに着脱自在に連結するための第１連結具と、左右の前記カップ本体の内側縁部を、互いに着脱自在に連結するために前記第１連結具よりも下側の位置にある第２連結具と、を有している。
【００１７】
請求項６では、カップ本体の連結部の第１連結具は、左右のカップ本体の内側縁部を互いに着脱自在に連結する。カップ本体連結部の別の第２連結具は、左右のカップ本体の内側縁部を互いに着脱自在に連結するものであり、第２連結具は第１連結具よりも下側に位置している。
これにより、第１連結具における連結状態を外すことにより、左右のカップ本体のたとえば一方をそのカップ本体の内側縁部から曲線状とされた上縁部にかけてを、めくるように変形させることにより、授乳時にその授乳に必要な乳房を露出させることができる。これに対して、露出させない方の乳房は、開いていないもう１つのカップ本体により完全に覆った状態を保持することができる。このため、内側縁部の連結状態を全て解除し、外側縁部を中心として回動させて乳房を露出させるよりも、露出が小さく、外出時等における授乳に適している。
【００１８】
請求項７の発明は、請求項１乃至請求項４のいずれかに記載の授乳用ブラジャーにおいて、左右の前記カップ本体の内側縁部の内面と、前記前身台布部の中央領域部分が着脱可能に連結される連結部が形成されている。
【００１９】
請求項７では、前身台布部にカップ本体が着脱されて開閉できるため、一方のカップ本体を開いた際に、他方のカップ本体に影響が出ず、他方の乳房を覆った状態を維持できる。
【００２０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
図１は、本発明の授乳用ブラジャーの好ましい実施の形態を示しており、この図１では、使用者Ｍが授乳用ブラジャー１０を装着し、しかも授乳可能にするために一方の乳房を露出した状態の一例を示している。
使用者Ｍの左右の乳房１１，１２は、授乳用ブラジャー１０により保持されるようになっている。
授乳用ブラジャー１０は、マタニティ用ブラジャーとも呼んでいる。この授乳用ブラジャー１０は、右側のカップ部２０と左側のカップ部２１と、右側の後ろ身頃部２４と左側の後ろ身頃部２５と、右側のストラップ部２６と左側のストラップ部２７を有している。
右側のカップ部２０と左側のカップ部２１は、それぞれ対応する乳首１１Ａ，１１Ｂを含む乳房１１，１２を下側から支えるだけでなく、それぞれ露出可能に覆うためのものである。
【００２２】
図２は、図１に示す授乳用ブラジャー１０の展開図であり、表面側を示している。図３は、図２の授乳用ブラジャー１０の裏面側の展開図である。
図２に示すように、右側の後ろ身頃部２４は、右側のカップ部２０の外側縁部３０側に取り付けられている。左側の後ろ身頃部２５は、左側のカップ部２１の外側縁部３１に取り付けられている。
【００２３】
右側の後ろ身頃部２４の自由端側には複数のフック２４Ａが設けられている。
左側の後ろ身頃部２５の自由端側にはフック２４Ａの受け具となるループ２５Ａが設けられている。これらのループ２５Ａが、後ろ身頃部２５の長さ方向に関してたとえば４列程度設けられている。このフック２４Ａが、いずれかの列のループ２５Ａに引っ掛けることにより、右側の後ろ身頃部２４と左側の後ろ身頃部２５は着脱可能に連結することができると共に、右側の後ろ身頃部２４と左側の後ろ身頃部２５の長さは、使用者（妊産婦ともいう）Ｍの体型及び体型の変化に応じて調整可能になっている。このループ２５Ａとフック２４Ａは、後ろ身頃部の長さ調整部２９を構成している。
【００２４】
図１に示す右側のストラップ部２６は、右側のカップ部２０と図２に示す右側の後ろ身頃部２４を着脱可能に連結するための紐状部材である。同様にして左側ストラップ部２７は、左側のカップ部２１と図２に示す左側の後ろ身頃部２５を着脱可能に連結する紐状の部材である。これらの右側のストラップ部２６と左側のストラップ部２７は、肩紐などとも呼んでいる。
右側のストラップ部２６の途中には、プラスチック製の長さ調整部材２６Ａを有している。左側のストラップ部２７は、プラスチック製の長さ調整部材２７Ａを有している。これによって、右側のストラップ部２６と左側のストラップ部２７は、それぞれ使用者Ｍの体型に応じて長さの調整を行うことができる。
右側の後ろ身頃部２４と左側の後ろ身頃部２５は、長手方向に伸縮性を有するたとえばサテンネットやストレッチサテン、パワーネット等の伸縮性素材により作られており、縁部に同様の伸縮性を有する片ピコゴム等の平ゴムを縫合している。右側のストラップ部２６と左側のストラップ部２７は、やはり長手方向に伸縮性をある程度有する材質である博多織やニードル等のポリウレタン等の弾性体を含む紐状の織物により作られている。
【００２５】
次に、図１に示す右側のカップ部２０と左側のカップ部２１の構造について説明する。
左右のカップ部２０，２１は、前身台布部４０と、左右のカップ本体５０，５１を備えている。
前身台布部４０の一端部は図２に示すように外側縁部３０であり、前身台布部４０の他端部はもう１つの外側縁部３１である。したがって前身台布部４０の外側縁部３０は上述したように右側の後ろ身頃部２４に縫合により連結されていると共に、もう１つの外側縁部３１は左側の後ろ身頃部２５に縫合により連結されている。
【００２６】
前身台布部４０は、ほぼ乳房１１，１２の下側に位置しており、乳房１１，１２の下側を支えるための部材である右側のインナーカップ４１と左側のインナーカップ４２を有している。前身台布部４０の材質としては、たとえば二層構造のものであり、表地がストレッチサテンやサテンヘム等の伸縮性素材とされて一定のフィット感を出すと共に、裏地にマーキゼット素材等の伸縮が少ない素材を使用することで補強され、乳房を確実に支える剛性を有している。また、左右のインナーカップ４１，４２は、乳房を下側から支えるよう、前身台布部４０の一部として縫合されており、後述するカップ本体５０，５１と同様の構成とされており、例えば、不織布にダブルトリコットをラミネート加工した二重構造からなるパッド状とされていることで、乳房を確実に支える柔らかい感触を有するものとされている。
【００２７】
前身台布部４０は、２つのワイヤー部６０，６１を有している。右側のワイヤー部６０は、前身台布部４０の上縁部６０Ａと同様の湾曲状で、乳房の下側に沿うよう、右側のインナーカップ４１の下側に形成されていて、乳房１１の下側を支えるものである。ワイヤー部６１は、左側の乳房１２の下側を支えるものであり、上縁部６１Ａと同様の湾曲状で乳房の下側に沿うよう左側のインナーカップ４２の下側に位置する部材である。ワイヤー部６１は、前身台布部４０の中に支持されており、たとえば弾性変形可能なプラスチック樹脂により作られている。
前身台布部４０の上縁部６０Ａ，６１Ａは、乳房１１の乳首１１Ａよりも下側の位置であり、上縁部６１Ａは乳房１２の乳首１１Ｂよりも下側の位置に配置されている。そしてワイヤー部６０，６１はさらに上縁部６０Ａ，６１Ａよりも下側に湾曲して位置している。
【００２８】
次に、図１のカップ本体５０，５１について説明する。
カップ本体５０は、右側のカップ部２０側において開閉可能に設けられている。もう１つのカップ本体５１は、左側のカップ部２１において開閉可能に設けられている。
カップ本体５０，５１は、たとえば二層構造になっており、表面はたとえば、ストレッチレース等の装飾性の高い、伸縮性素材を使用している。裏面はインナーカップ４１，４２と同様の不織布等を使用したパッド状のカップとされている。この時、カップ本体５０，５１の上縁部５０Ｃ，５１Ｃの部分で、伸縮性を有する表面側を裏面側から延伸して形成しており、図４に示すように、乳房の上側は表面の伸縮性素材が配置されるため、乳腺等の圧迫を防ぎ、二層となった部分では、パッドにより、柔らかく、乳房を保持すると共に、伸縮を抑えた自己形態保持性を有している。なお、表面生地について、裏面のパッド状カップに沿ってモールド加工を施し、カップ本体５０，５１を一体的に形成してもよい。また、裏面のパッド状のカップについて、通気性を有する素材を使用している。
【００２９】
図１と図２に示すように、左右のカップ本体５０，５１の外側縁部７０，７０は、脇部とも呼んでおり、前身台布部４０の外側縁部３０，３１にそれぞれ縫合することにより連結されている。ここでは、前身台布部４０の外側縁部３０，３１と共に後ろ身頃部２４，２５にそれぞれ縫合することで連結している。
したがって、カップ本体５０の内側縁部８０は、カップ本体５０の外側縁部７０を中心として外側に向けて回動自在になっていて、乳房１１を露出させることができる。同様に、カップ本体５１の内側縁部８１は、外側縁部７０を中心として外側に向けて回動自在になっていて、乳房１２を露出させることができる。
カップ本体５０，５１は、それぞれ対応する乳房１１，１２を覆うためのものであるが、それぞれ自己形態保持性を有するように、すなわちそれぞれのカップ本体５０，５１を開いた状態であっても、形が崩れないように縫い合わせ強化部５０Ｂ，５１Ｂを有している。しかもカップ本体５０，５１の上縁部５０Ｃ，５１Ｃは、前身台布部４０を覆うように上下に凸状となるような曲線形状を有している。
【００３０】
図４は、左右のカップ部２０，２１が対応する乳房１１，１２を覆っている状態を示している。実際には、矢印の方向に移動し、乳房１１，１２に接触するよう着用される。カップ部２０，２１のカップ本体５０，５１は、上述したように表地７９Ａと裏地７９Ｂの二層構造になっており、カップ本体５０，５１は、対応する乳首１１Ａ，１１Ｂを含む乳房１１，１２を覆うようになっており、前身台布部４０が、乳房の下側に位置し、ワイヤー部６０，６１や上縁部６０Ａ，６１Ａによって、乳房を下側から支えている。
【００３１】
次に、図２に示すカップ本体５０の内側縁部８０とカップ本体５１の内側縁部８１は、カップ本体の連結部９０により着脱可能に連結できるようになっている。カップ本体連結部９０は、好ましくは第１連結具９１と第２連結具９２を有している。
【００３２】
図５は、図２に示す第１連結具９１と第２連結具９２の構造例を示している。第１連結具９１と第２連結具９２は同様な構造を有しており、第１連結具９１は第２連結具９２よりも上側に位置している。すなわち第２連結具９２は第１連結具９１よりも下側に位置している。第１連結具９１は、内側縁部８０と内側縁部８１の上部分を着脱可能に連結するためのものであり、第２連結具９２は、内側縁部８０と内側縁部８１の下側を着脱可能に連結する部分である。
【００３３】
第１連結具９１は、図６に示すようにサポート部９３と挿入連結部９４を有している。サポート部９３は内側縁部８０に対して取り付けられており、挿入連結部９４は内側縁部８１に取り付けられている。サポート部９３は挿入用の長穴９３Ａを有している。挿入連結部９４は、挿入用の穴９３Ａに対して挿入するためのピン９４Ａを有している。
このピン９４Ａを挿入用の穴９３Ａに対して挿入することにより、第１連結具９１は内側縁部８０，８１を着脱可能に連結することができる。第２連結具９２は第１連結具９１と同様にサポート部９３と挿入連結部９４を有しており、第２連結具９２のサポート部９３と挿入連結部９４の構造は、第１連結具９１のサポート部９３と挿入連結部９４のものと同じである。
【００３４】
次に、図１に示す右側のストラップ部２６と左側のストラップ部２７について説明する。
図１と図２に示すように、右側のストラップ部２６と左側のストラップ部２７は、授乳用ブラジャー１０から着脱可能に取り外すことができる。このようにストラップ部２６，２７を取り外すことにより、使用者Ｍの希望によりいわゆるストラップレスの授乳用ブラジャーとして用いることができる。
【００３５】
図２と図３に示すように、右側のストラップ部２６は、前身台布部４０の外側縁部３０に対して連結部分１００により着脱可能に連結されていると共に、ストラップ部２６の他端部は連結部分１０１により右側の後ろ身頃部２４に対して着脱可能に連結されている。同様にして左側のストラップ部２７の一端部は、連結部分１０３を用いて、前身台布部４０の外側縁部３１に対して着脱可能に連結されていると共に、ストラップ部２７の他端部は、連結部分１０４を用いて左側の後ろ身頃部２５に対して着脱可能に連結されている。
【００３６】
図７は、左側のストラップ部２７の連結部分１０３を代表して示している。
このストラップ部２７は図７において代表して示しているが、図１におけるストラップ部２６においても同様な構造であって、中央から見て左右対称形状になっている。このことから、ストラップ部２６とストラップ部２７については、図７のストラップ部２７の連結部分の構造について代表して説明する。
図７では、カップ本体５１、外側縁部７０、外側縁部３１、ワイヤー部６１の一部分を示している。ストラップ部２７の一端部に位置する連結部分１０３は、挿入部１０５と保持部１０６，１０７を有している。挿入部１０５は、ストラップ部２７の一端部の先端に不用意に抜けることを防ぐ返し１０５Ａを有するほぼＬ字型の部材である。挿入部１０５はたとえばプラスチックにより作られている。
【００３７】
保持部１０６は、たとえば布製であり、前身台布部４０の外側縁部３１の上方側、すなわちカップ部の上方側において設けられている。もう１つの保持部１０７は、たとえば布製であり、カップ本体５１の上縁部５１Ｃに設けられている。これらの保持部１０６，１０７は、たとえば図８に示すようないわゆる筒状の部材であり、たとえば布により作られている。挿入部１０５は、この保持部１０６もしくは１０７に対して選択的に挿入することで、ストラップ部２７は、前身台布部４０の外側縁部の上方側１０８に対して着脱可能に連結することができる。
また挿入部１０５は保持部１０７に挿入することにより、連結部分１０３はカップ本体５１の上縁部５１Ｃ側にも連結することができる。また、ストラップ部２６，２７の連結部分１０３の上方に、内側に頂点が位置する三角形状とされた接続具２６Ｂ，２７Ｂが配置されており、ストラップ部２６，２７の上方が肩の外側に位置しても、連結部分１０３，１０３となるストラップ部２６，２７の下側が、内側に向って角度を変えるよう構成されており、ストラップの位置ずれを防ぐと共に、乳房への圧迫を低減している。
【００３８】
このような挿入部１０５を保持部１０６あるいは保持部１０７に挿入することは、使用者の使用形態によって選択される。
ストラップ部２７の挿入部１０５が、保持部１０６に対して挿入された状態では、ストラップ部２７の連結部分１０３は、図１に示すように、乳首の外側の位置を通っており、かつワイヤー部６１の外側となるワイヤー部外側端部６１Ｂの近傍位置つまり腕に近い側の位置で着脱自在に連結することができる。ここでは、連結部分１０３は上縁部６１Ａ上に形成されている。
このような連結状態は、図１に示す右側のストラップ部２６の連結部分１０３においても同じである。
このストラップ部２６，２７の連結部分１０３，１０３が、対応する乳首１１Ａ，１１Ｂの外側の位置であって、かつワイヤー部６０，６１の近傍の位置で着脱自在に連結することにより、次のようなメリットがある。
【００３９】
連結部分１０３がワイヤー部６１の外側端部６１Ｂ近傍、ここではインナーカップ４２側に位置しており、乳首の外側を通っているので、ストラップ部を装着した使用状態において、ストラップ部２６，２７が存在していても、乳房に対する圧迫力などの悪影響を少なくすることができる。ストラップ部２７が、ワイヤー外側端部６０Ｂ，６１Ｂの近傍側に位置しているので、ストラップ部２７はワイヤー部６１と共に、対応する乳房１１，１２を下側から確実に支えて、バストアップを図ることができるので、ストラップ部２６，２７は、ワイヤー部６０，６１と協働して乳房を保持することができる。
【００４０】
また、ストラップ部２６，２７の連結部分１０３，１０３が乳房の外側に位置しているので、授乳時において、ストラップ部が存在していてもストラップ部が乳房にとって邪魔にならない。更に、ストラップ部２６，２７の連結部分１０３が乳房の外側に位置していることになるので、外観上優れたものになる。
また、ストラップ部が乳首よりも外側に位置することで、たとえば図１に示すようにカップ本体５１を開くことにより、乳首１１Ｂを含む乳房１２の全体を露出させることができる。さらに、接続具２６Ｂ，２７Ｂにより、乳房を迂回するようストラップ部２６，２７を配置でき、乳房への圧迫を防ぎ、疲労を低減することができる。
なお、カップ本体５１の外側縁部７０側で、ワイヤー部６１近傍に位置する他の保持部１０７に挿入部１０５を連結した場合には、カップ本体５１が乳房１２から浮いて装着感が悪くなることを防ぐ。
【００４１】
図１に示す前身台布部４０は伸縮性を有していないので、乳房の保持を確実に行うことができる。
左右のストラップ部２６，２７を使用する形態においては、授乳用ブラジャー１０のズレを確実に防ぐことができる。後ろ身頃部２４，２５は、少なくとも長手方向、すなわち横方向に関して伸縮可能になっている。
【００４２】
次に、授乳用ブラジャー１０の使用形態の一例を説明する。
図１では、一例として左側のカップ本体５１が外側縁部７０，３１を中心として開いた状態にある。これによって、対応する乳房１２を露出させることができ、乳児に対して授乳を行うことができる。
図１の例では、図２に示す第１連結具９１と第２連結具９２の両方を外しているので、図１に示すカップ本体５１の内側縁部８１は外側縁部３１，７０を中心として完全に横方向に開くことができる。
このような開く構造は、右側のカップ本体５０についても同様である。
【００４３】
図９は、別の使用形態例を示している。
図９の例では、第１連結具９１の連結を解除してはいるが、第２連結具９２の連結状態は解除していない。これによって、カップ本体５１の内側縁部８１から上縁部にかけてをめくるように開いて、乳房１２の乳首１１Ｂを露出させることも可能である。
このようにすると、カップ本体５０とカップ本体５１は下側の第２連結具９２により連結した状態になる。このためカップ本体５０は乳房１１を覆った状態に保持することができる。なお、各使用形態とも、ストラップ部２６，２７を外したストラップレスの状態でも同様に使用することができる。
【００４４】
次に、本発明の授乳用ブラジャーの第２の実施の形態について説明する。
図１０に示す授乳用ブラジャー２００は、図１に示す授乳用ブラジャー１０とほぼ同様の構造であるが、次の点で異なる。
図１０の授乳用ブラジャー２００の各構成要素について、図１に示す授乳用ブラジャー１０の構成要素と同様の個所には同じ符号を記してその説明を用いることにする。
図１０に示す授乳用ブラジャー２００が図１に示す授乳用ブラジャー１０と異なる点は、前身台布部１４０が、使用者Ｍの腹部近くまで伸びていて、前身台布部１４０は、腹部を確実にサポートするようになっている。したがってこの授乳用ブラジャー２００は、いわゆるロングラインブラジャーと呼ばれるものである。
この授乳用ブラジャー２００は、使用者Ｍのウエストまたは腰まで整えるタイプのブラジャーである。前身台布部１４０に接続された後ろ身頃部１２４，１２５も、前身台布部１４０の長さに対応した長さになっている。
【００４５】
図１０では、第１連結具９１の連結状態が解除されており、第２連結具９２がカップ本体５０の内側縁部８０とカップ本体５１の内側縁部８１を連結した状態にある。したがってカップ本体５１は内側縁部８１から上縁部にかけてめくれるように、半分開いた状態になっていて、乳房１２の乳首１１Ｂが露出した状態になるので、この状態で乳児に対する授乳が可能である。
図１０の破線で示すように、第１連結具９１と第２連結具９２のそれぞれの連結状態を解除することにより、カップ本体５１は完全に外側縁部７０，３１を中心として開くことにより、乳房１２を露出させることも可能である。このようなカップ本体５１の開く動作は、カップ本体５０の開く動作についても同様に行える。
【００４６】
図１１は、図１０に示す授乳用ブラジャー２００の表側を示す展開図であり、図１２は、図１０の授乳用ブラジャー２００の裏面側を示す展開図である。図１３は、カップ部２０，２１の断面構造例を示している。
第１の実施の形態と異なり、ここでは、左右のストラップ部の連結部分１０３が、ワイヤー外側端部６０Ｂ，６１Ｂの外側に配置されており、前身台布部１４０の外側縁部３０，３１に形成されている。これにより、左右のストラップ部２６，２７が、乳房をさらに迂回することとなり、乳房への圧迫を低減している。
【００４７】
図１４は、たとえば図２に示すカップ本体連結部９０の別の実施の形態について示している。
カップ本体連結部９０の第１連結具９１，９２は図１４に示すような構造にすることもできる。第１連結具９１，９２は、サポート部１９３と挿入連結部１９４を有している。サポート部１９３には挿入用の穴１９３Ａを有している。挿入連結部１９４は、ピン１９４Ａを有している。
このピン１９４Ａは、サポート部１９３の穴１９３Ａに対して図１５（Ａ）に示すように挿入した後に、図１５（Ｂ）に示すようにほぼ９０度回転することにより、挿入連結部１９４の係合部１９４Ｂがサポート部１９３の止め部１９３Ｂ，１９３Ｃの間にはまり込む。これによって、挿入連結部１９４はサポート部１９３から抜け出ないようになっている。
【００４８】
上述した実施の形態では、たとえば図１に示すカップ本体５０，５１の自己形態保持性をより確実に確保するために、カップ本体５０，５１の上縁部５０Ｃ，５１Ｃにほぼ沿って、たとえばプラスチック製のワイヤーを内蔵させるようにしても勿論構わない。
また、カップ本体５０，５１の外側縁部７０が、それぞれ前身台布部４０の外側縁部３０，３１に対して縫着して連結するようにしても良いし、あるいはカップ本体５０，５１の外側縁部７０が、それぞれ後ろ身頃部２５に対して縫着して連結するようにしても勿論構わない。
また、前身台布部１４０の下側を、胴を締めるよう、左右に伸縮する構成とせず、保温性を有するゆったりとした部材で形成し、スリップ状となるよう構成してもよい。
【００４９】
図１６は、本発明の授乳用ブラジャーの第３の実施の形態の使用例を示している。この授乳用ブラジャー２００が図１０の授乳用ブラジャー２００と異なる点は、カップ本体５０，５１の内側縁部８０，８１側の形状とカップ本体連結部９０の第１連結具９１のみで構成されている点であり、その他の部分には同じ符号を記してその説明を用いる。
第１連結具９１は内側縁部８０，８１の上部分を着脱自在に連結できるように設けられている。しかし第２連結具９２は、設けられておらず、第１連結具９１の操作のみで、乳房１１，１２の露出が可能とされている。
【００５０】
図１７は、本発明の授乳用ブラジャーの第４の実施の形態を示している。図１７では、カップ本体５０，５１の内側縁部８０，８１と前身台布部中央領域に設けられた、着脱部３０１によって構成されている。
着脱部３０１は、内側縁部の第１のホック３０２Ａと第２のホック３０３Ａがそれぞれオス状のホックとされ、前身台布部４０に設けられたメス状の第１のホック３０２Ｂ、第２のホック３０３Ｂと着脱できる。
このため、一方のカップ本体を開いた場合でも、他方のカップ本体に影響しない。
なお、第１のホック３０２Ａ，３０２Ｂを他の実施の形態における、第１の連結具として、組み合わせて構成してもよい。
【００５１】
以上説明したように、本発明の授乳用ブラジャーを使用する際には、ストラップ部２６，２７を使用することもできるし、ストラップ部２６，２７を使用せずにいわゆるストラップレスの授乳ブラジャーとしても使用することができる。
またストラップ部２６，２７が従来と異なり乳首または乳房の外側の位置であって、しかもワイヤー部の外側端部近傍に位置するところに着脱可能に連結されているので、このストラップ部を使用した場合であっても、ストラップ部が乳房に対して圧迫力などの影響を与えることがなく、外観デザイン上も優れている。
またストラップ部はワイヤー部との協働により、乳房のバストアップ効果を高めることができる。
ストラップ部を用いないで授乳用ブラジャーを使用する場合としては、たとえば妊産婦がノースリーブの服を着用する場合である。
なお、本発明は上述の実施の形態に限定されない。さらに上述の実施の形態は相互に組み合わせて構成してもよい。
【００５２】
【発明の効果】
以上説明したように、本発明によれば、いわゆるストラップレスの授乳用ブラジャーとして使うことができると共に、ストラップ部を用いる場合であっても乳房への影響を少なくし、乳房をワイヤー部と共に確実に支えることができる。
【図面の簡単な説明】
【図１】本発明の授乳用ブラジャーの好ましい実施の形態を示しており、授乳用ブラジャーを使用者が着用してしかも片方のカップ本体を開いて授乳しようとする状態を示す図。
【図２】図１の授乳用ブラジャーの表側を示す展開図。
【図３】図１の授乳用ブラジャーの裏側を示す展開図。
【図４】カップ部の断面構造例を示す図。
【図５】カップ本体連結部の構造を示す正面図。
【図６】カップ本体連結部の第１連結具と第２連結具の構造例を示す斜視図。
【図７】ストラップ部の連結部分の構造例を示す図。
【図８】図７の連結部分の挿入部と保持部の形状例を示す斜視図。
【図９】一方のカップ本体を半分開いた状態の使用例を示し、一方の乳房を露出して授乳できる状態を示す図。
【図１０】本発明の授乳用ブラジャーの別の実施の形態を示す使用状態を示す図。
【図１１】図１０の別の実施の形態の授乳用ブラジャーの表側の展開図。
【図１２】図１０の授乳用ブラジャーの裏側を示す展開図。
【図１３】図１０の授乳用ブラジャーのカップ部の断面構造例を示す図。
【図１４】第１連結具と第２連結具の別の実施の形態を示す斜視図。
【図１５】第１連結具と第２連結具の連結操作例を示す図。
【図１６】本発明の授乳用ブラジャーのさらに別の実施の形態を示す図。
【図１７】本発明の授乳用ブラジャーの第４の実施の形態を示す図。
【符号の説明】
１０・・・授乳用ブラジャー、２０，２１・・・左右のカップ部、２４，２５・・・左右の後ろ身頃部、２６，２７・・・左右のストラップ部、４０・・・前身台布部、５０，５１・・・左右のカップ本体、６０，６１・・・ワイヤー部、１０３・・・ストラップ部の連結部分、１０５・・・連結部分の挿入部、１０６，１０７・・・連結部分の保持部
【図１】
2004169209.tif 000003
【図２】
2004169209.tif 000004
【図３】
2004169209.tif 000005
【図４】
2004169209.tif 000006
【図５】
2004169209.tif 000007
【図６】
2004169209.tif 000008
【図７】
2004169209.tif 000009
【図８】
2004169209.tif 000010
【図９】
2004169209.tif 000011
【図１０】
2004169209.tif 000012
【図１１】
2004169209.tif 000013
【図１２】
2004169209.tif 000014
【図１３】
2004169209.tif 000015
【図１４】
2004169209.tif 000016
【図１５】
2004169209.tif 000017
【図１６】
2004169209.tif 000018
【図１７】
2004169209.tif 000019